(57)【要約】【課題】専用の吊り下げ装置を必要とすることなく、電源線を露出することなく、移動も容易に行えるようにすることを目的とする。【解決手段】薄型映像表示装置本体１を天井５あるいは壁５ｂに支持部材６を介して吊り下げるようにした薄型映像表示装置であって、この支持部材６の内部に配した電源線１１ａ、１１ｂを通して電力を供給するようにしたものである。【選択図】図１
2007271793.tif 000002
【特許請求の範囲】
【請求項１】
薄型映像表示装置本体を天井あるいは壁に支持部材を介して吊り下げるようにした薄型映像表示装置であって、
前記支持部材の内部に配した電源線を通して電力を供給するようにしたことを特徴とする薄型映像表示装置。
【請求項２】
請求項１記載の薄型映像表示装置において、
前記支持部材の一端に設けたプラグをシーリングローゼットもしくは、配線ダクトレールに、直接もしくは組み合わされるアダプタ経由で取り付けるようにしたことを特徴とする薄型映像表示装置。
【請求項３】
請求項１又は２記載の薄型映像表示装置において、
前記支持部材の他端に揺動機構を介して薄型映像表示装置本体を取付けたことを特徴とする薄型映像表示装置。
【請求項４】
請求項３記載の薄型映像表示装置において、
前記揺動機構の位置は、薄型映像表示装置本体の背面の上下の中心から上端までの位置で且つ左右の略中央に位置するようにしたことを特徴とする薄型映像表示装置。
【請求項５】
請求項３記載の薄型映像表示装置において、
前記支持部材の長さは、前記揺動機構の支点から薄型映像表示装置本体の上端までの長さより長いことを特徴とする薄型映像表示装置。
【発明の詳細な説明】
【技術分野】
【０００１】
本発明は、有機エレクトロルミネッセンスディスプレイパネル、液晶ディスプレイパネル等の薄型ディスプレイパネルを使用した比較的軽い薄型映像表示装置に関する。
【背景技術】
【０００２】
従来、表示装置を天井から吊り下げるのに使用される表示装置の吊り下げ装置が特許文献１に開示されている。
【特許文献１】特開２００２−３２０３３号公報
【発明の開示】
【発明が解決しようとする課題】
【０００３】
ところで、従来映像表示装置を天井等より吊り下げるようにしたときには、特許文献１に開示するように専用の吊り下げ装置及び吊り下げのための工事が必要であり、それが可能な設置場所も限定され、一度設置された映像表示装置を他の場所に移動することは困難であった。
【０００４】
また、映像表示装置を天井等より吊り下げ映像視聴するときには、この映像表示装置に電源を供給する必要があり、電源線が露出するので、外観上見にくい不都合があった。
【０００５】
本発明は、斯かる点に鑑み、専用の吊り下げ装置を必要とすることなく、電源線を露出することなく、移動も容易に行えるようにすることを目的とする。
【課題を解決するための手段】
【０００６】
本発明薄型映像表示装置は、薄型映像表示装置本体を天井あるいは壁に支持部材を介して吊り下げるようにした薄型映像表示装置であって、この支持部材の内部に配した電源線を通して電力を供給するようにしたものである。
【発明の効果】
【０００７】
本発明によれば、薄型映像表示装置本体を天井あるいは壁に支持部材を介して吊り下げると共にこの支持部材の内部に配した電源線を通して電力を供給するようにしたので、この支持部材の一端にプラグを設け、このプラグを照明機器用の天井の配線器具であるシーリングローゼットもしくは、配線ダクトレールに直接もしくは組み合わされるアダプタ経由で取り付けるようにしたときには、専用の吊り下げ装置を必要とすることなく、また、電源線を露出することなく、移動も容易に行える。
【発明を実施するための最良の形態】
【０００８】
以下、図面を参照して、本発明薄型映像表示装置を実施するための最良の形態の例につき説明する。
【０００９】
図１は、本例による薄型映像表示装置を示し、図１Ａは正面図、図１Ｂは背面図、図１Ｃは右側面図、図１Ｄは上面図である。図１において、１は、有機エレクトロルミネッセンスディスプレイパネル、液晶ディスプレイパネル等の比較的軽い薄型ディスプレイパネルを使用した比較的軽い薄型映像表示装置本体を示し、この薄型映像表示装置本体１の正面は、図１Ａに示す如く、画像表示部１ａと、この画像表示部１ａの周辺を囲む枠２とより成っている。
【００１０】
この薄型映像表示装置本体１の背面は、図１Ｂに示す如く、薄型映像表示装置本体１の
背面中央部上部に映像を画像表示部１ａに表示するための図示しない駆動表示回路を覆う駆動表示回路収納部３が設けられている。
【００１１】
この駆動表示回路収納部３の上部には、図１Ｄに示す如く、駆動表示回路からの発熱を放熱するためのスリット状の放熱口４が設けられている。この薄型映像表示装置本体１の枠２の内部には、図示しない所定のアンテナが設けられており、このアンテナにより、外部の映像信号を受信し、この受信した映像信号を駆動表示回路に供給するようになされている。
【００１２】
本例においては、この薄型映像表示装置本体１の背面の駆動表示回路収納部３に、この薄型映像表示装置本体１を天井５あるいは壁に吊り下げる中空の支持部材６の他端を揺動機構７を介して取り付ける。
【００１３】
この中空の支持部材６は、剛体的に構成し、この支持部材６は、薄型映像表示装置本体１の重量により引っ張り応力を受け止め、この薄型映像表示装置本体１を決められた姿勢に保持できる如くする。
【００１４】
また、本例においては、この支持部材６の一端に図４に示す如く、家屋の天井５等に固定され、照明機器を吊り下げると共に電気的接続がなされる照明機器用の天井配線器具であるシーリングローゼット８に、機械的に固定すると共に電気的接続を行うプラグ９を設ける。
【００１５】
このプラグ９は、例えば図２に示す如く、２個のＬ字状金具より成る電極１０ａ及び１０ｂを所定間隔離して合成樹脂により、この支持部材６の一端に一体成形するようにしたものであり、この電極１０ａ及び１０ｂを、この中空の支持部材６の内部に配した電源線１１ａ及び１１ｂに接続するようにしたものである。
【００１６】
このプラグ９は、電極１０ａ及び１０ｂがシーリングクローゼット８に機械的に固定されたとき、薄型映像表示装置１及び支持部材６、更には電源線１１ａ、１１ｂの全荷重を電極１０ａ及び１０ｂが支えることが出来るように、プラグ本体９ａが電極１０ａ及び１０ｂ及び支持部材６を保持するように構成されている。
【００１７】
この支持部材６の図１ＡのIII−III線断面図は、図３に示す如くで、中空の支持部材６の中空部に２本の電源線１１ａ及び１１ｂが配されたものである。この電源線１１ａ及び１１ｂは、薄型映像表示装置本体１の駆動表示回路収納部３まで導かれ、この駆動表示回路等に電力を供給する如くする。
【００１８】
この場合、このプラグ９は、このＬ字状金具より成る電極１０ａ及び１０ｂによりシーリングローゼット８に機械的に固定すると共にこのシーリングローゼット８の電源供給端子に電気的に接続される如くなす。
【００１９】
また、揺動機構７としては、例えば図５に示す如く、この支持部材６の他端に夫々左右に伸びる支軸６ａ、６ａを設けると共にこの支軸６ａ、６ａを薄型映像表示装置本体１の背面の駆動表示回路収納部３と一体に設けた軸受７ａ、７ａにより支持するようにする。
【００２０】
この場合、薄型映像表示装置本体１は、この揺動機構７により任意の角度で固定できるようにする。これにより薄型映像表示装置本体１は、図５Ａ、Ｂ、Ｃに示す如く、視聴の状態に合わせて、支持部材６に平行な垂直から水平までの角度まで変えることができ、所定角度の姿勢で、この薄型映像表示装置本体１を保持することができる如くする。
【００２１】
この場合、支持部材６の長さを揺動機構７部から薄型映像表示装置本体１の上端までの長さより長くすることにより、プラグ９を取り付けるシーリングローゼット８の設置の自由度を増すことができる。
【００２２】
また、この揺動機構７部をこの薄型映像表示装置本体１の駆動表示回路収納部３の背面の上下の中心から上端までの位置で、なお且つ左右の略中央に設けることにより、支点が薄型映像表示装置本体１の重心に近づくために、薄型映像表示装置本体１の角度を図５Ａ、Ｂ、Ｃに示す如くしても、この支持部材６に対しては、曲げの応力が加わらず、引っ張りの応力となり、プラグ９及びこのプラグ９が取り付くシーリングローゼット８に対しても、こじる力が発生せずに、強度を保つことができる。
【００２３】
本例によれば、薄型映像表示装置本体１を天井５あるいは壁に支持部材６により吊り下げると共にこの中空の支持部材６の内部に配した電源線１１ａ及び１１ｂを通して電力を供給するようにしているので、薄型映像表示装置本体１を吊り下げ形に設置できると共に電源線１１ａ及び１１ｂを中空の支持部材６の内部に配したので、電源線１１ａ及び１１ｂを露出することなく、外観上美しいまま、視聴することができる。
【００２４】
また、本例によれば、薄型映像表示装置本体１を吊り下げる支持部材６の一端にプラグ９を設け、このプラグ９を照明機器用の天井配線器具であるシーリングローゼット８に、機械的に固定すると共に電気的に接続するようにしたので、専用の吊り下げ装置は不要であり、設置場所も照明設備が設置できるところには任意に設置でき、移動することも容易であり、吊り下げる場所の制約も少ない利益がある。
【００２５】
また、この支持部材６の他端を揺動機構７を介して薄型映像表示装置本体１に取り付けたので、視聴状況に合わせて、この薄型映像表示装置本体１の向きを調整できる利益がある。
【００２６】
尚、上述例においては、支持部材６の一端に設けたプラグ９を天井５に設置されたシーリングローゼット８に機械的に固定すると共に電気的に接続するように述べたが、このプラグ９を照明用の配線ダクトレール１２に直接もしくは組み合わされるアダプタ経由で取り付けるようにしても良い。
【００２７】
例えば図６Ａに示す如く、天井５のシーリングローゼット８から吊り下げられた照明用の配線ダクトレール１２に直接この支持部材６の一端に設けたプラグ９を機械的に固定すると共に電気的に接続する。この場合、図６Ｂに示す如くこのプラグ９を組み合わされるアダプタ１３を経由でこの照明用の配線ダクトレール１２に機械的に固定すると共に電気的に接続するようにしても良い。この図６Ｂにおいて、照明機器１４は、この照明用の配線ダクトレール１２に機械的に固定すると共に電気的に接続されている。
【００２８】
また、図７例に示す如く、天井部斜面５ａに、照明用の配線ダクトレール１２を固定し、この配線ダクトレール１２に支持部材６の一端に設けたプラグ９を機械的に固定すると共に電気的に接続するようにしても良い。
【００２９】
また、更に図８例に示す如く、垂直な壁面５ｂに、照明用の配線ダクトレール１２を固定し、この配線ダクトレール１２に支持部材６の一端に設けたプラグ９を機械的に固定すると共に電気的に接続するようにしても良い。
【００３０】
また、支持部材６は、その長さ、強度、薄型映像表示装置本体１の重量及び配線ダクトレール１２にもよるが、必ずしも鉛直である必要がない（図７、図８例参照）。
【００３１】
また、図８に示す如く、壁面５ｂの照明用の配線ダクトレール１２に薄型映像表示装置本体１を取り付ける場合には、この薄型映像表示装置本体１の下端をこの壁面５ｂにて保持する角度に揺動機構７を調整することにより、この配線ダクトレール１２に加わる力を軽減することができる。
【００３２】
また、上述例では、揺動機構７を一軸６ａ、６ａの周りに揺動する例につき述べたが、更に、この支持部材６に垂直方向にも可動としたり、所謂ユニバーサルジョイントとするようにしても良い。
【００３３】
また、本発明は上述例に限ることなく、本発明の要旨を逸脱することなく、その他種々の構成が採り得ることは勿論である。
【図面の簡単な説明】
【００３４】
【図１】本発明薄型映像表示装置を実施するための最良の形態の例を示し、図１Ａは正面図、図１Ｂは背面図、図１Ｃは右側面図、図１Ｄは上面図である。
【図２】本発明の要部の例を示す切り欠き断面図である。
【図３】図１ＡのIII−III線断面図である。
【図４】本発明薄型映像表示装置を天井に吊り下げた例を示す正面図である。
【図５】本発明薄型映像表示装置を天井に吊り下げた例を示す側面図である。
【図６】本発明薄型映像表示装置を実施するための最良の形態の他の例を示し、図６Ａは側面図、図６Ｂは斜視図である。
【図７】本発明薄型映像表示装置を実施するための最良の形態の他の例を示す斜視図である。
【図８】本発明薄型映像表示装置を実施するための最良の形態の他の例を示す斜視図である。
【符号の説明】
【００３５】
１…薄型映像表示装置本体、１ａ…画像表示部、２…枠、３…駆動表示回路収納部、４…放熱口、５…天井、６…支持部材、７…揺動機構、８…シーリングローゼット、９…プラグ、１０ａ、１０ｂ…電極、１１ａ、１１ｂ…電源線、１２…配線ダクトレール、１３…アダプタ、１４…照明機器
【図１】
2007271793.tif 000003
【図２】
2007271793.tif 000004
【図３】
2007271793.tif 000005
【図４】
2007271793.tif 000006
【図５】
2007271793.tif 000007
【図６】
2007271793.tif 000008
【図７】
2007271793.tif 000009
【図８】
2007271793.tif 000010